(57)【要約】【課題】表示画面の外側に操作部を備えた電子機器において、外観デザインを向上させつつ機器のコンパクト化を図る。【解決手段】車載電子機器１は、筐体１０の前面に、液晶表示パネル２０、ダイレクトスイッチ３１〜３５を備える。ダイレクトスイッチ３１〜３５は、操作エリア３１ａ〜３５ａの外側寄りに偏らせて表示画面の画面中心側を下辺とする横書き表記の文字・記号からなる透光部３１ｂ〜３５ｂを備え、各透光部３１ｂ〜３５ｂの真後ろにＬＥＤ４１〜４５が設置される。右側のＬＥＤ４１〜４３は、液晶表示パネル２０の画面２１の右側に備えられた回路収納部２２の外側直近位置に設置し、画面を挟んで左右対称となる様に左側のダイレクトスイッチ用のＬＥＤ４４，４５を設置する。【選択図】  図２
2014127396.tif 000002
【特許請求の範囲】
【請求項１】
筐体の前面に表示画面と、当該表示画面の外側に位置する操作部とを備え、（１）前記操作部には、その操作可能範囲の中心よりも外側寄りに透光部を形成すると共に、当該透光部の背面側から正面側に向かって光を照射する様に光源を設置したこと、を特徴とする電子機器。
【請求項２】
（２）前記表示画面の外側の一部に回路収納部の少なくとも一部を備え、当該回路収納部の外側直近に位置する様に前記光源を設置すると共に、前記操作部は、前記操作可能範囲の内側が前記回路収納部の少なくとも一部に重なる様に設置されていること、を特徴とする請求項１記載の電子機器。
【請求項３】
（３）前記透光部として、前記回路収納部の外側に沿って並ぶ様に文字又は記号を表したこと、を特徴とする請求項１又は２に記載の電子機器。
【請求項４】
（４）前記回路収納部の反対側の表示画面外側にも反対側光源を設置すると共に、当該反対側の表示画面外側に沿って並ぶ様に文字又は記号を表した透光部を有するダイレクト操作用の操作部を、当該透光部が前記反対側光源の正面に重なる様に設置したこと、を特徴とする請求項３に記載の電子機器。
【請求項５】
（５）前記回路収納部の反対側の表示画面外側に設置される操作部は、前記回路収納部の外側に設置される操作部と、前記表示画面の中心に対して対称となる位置に設置されていること、を特徴とする請求項４に記載の電子機器。
【請求項６】
（６）前記透光部として、前記表示画面の画面中心側を下辺とする横書き表記の文字を備えていること、を特徴とする請求項３〜５のいずれかに記載の電子機器。
【請求項７】
（７）前記表示画面が液晶表示パネルであって、当該液晶表示パネルを設置した表示基板の前面に前記光源として前記透光部の背面に位置する様にＬＥＤを設置すると共に、前記筐体を、前記表示基板を背面側から位置決め装着するフロントケースと、当該フロントケースと一体化されて筐体の側面及び上下面を構成する筒状のメインボディと、当該メインボディの後端を塞ぐ裏蓋とから構成したこと、を特徴とする請求項１〜６のいずれかに記載の電子機器。
【請求項８】
（８）前記フロントケースには、前記ＬＥＤを正面に向かって露出させる開口又は切り欠きが形成されていること、を特徴とする請求項７に記載の電子機器。
【請求項９】
（９）前記フロントケースは、前記メインボディの前端縁よりも所定量後方に控えた位置において当該メインボディから内側に突設する様に一体形成され、当該フロントケースの前面に前記タッチパネルが前記メインボディの内側に収まる様に設置されていること、を特徴とする請求項７又は８に記載の電子機器。
【請求項１０】
（１０）前記操作部が前記タッチパネルの所定領域として構成されるタッチ式操作部であり、前記回路収納部側に設置されるタッチ式操作部は、前記所定領域の外側縁寄りに前記透光部を備え、前記所定領域の内側縁を前記回路収納部に重なる様に設置されていること、を特徴とする請求項９に記載の電子機器。
【請求項１１】
（１１）前記裏蓋は、前記メインボディの後端縁の内側に嵌り込む様に装着される構成とされていること、を特徴とする請求項７〜１０のいずれかに記載の電子機器。
【請求項１２】
（１２）前記裏蓋は、その最外面が前記メインボディの後端縁と面一となる様に装着される構成とされていること、を特徴とする請求項７〜１０のいずれかに記載の電子機器。
【請求項１３】
（１３）前記表示基板には記憶媒体受入部材が側方から記憶媒体を挿脱可能に設置されると共に、前記メインボディの側面に、当該記憶媒体を挿脱するための長孔が形成されていること、を特徴とする請求項７〜１２のいずれかに記載の電子機器。
【請求項１４】
（１４）前記メインボディと前記裏蓋の間に、スペーサを介して前記表示基板との間に所定間隔を保持する様に第２の基板が設置されていること、を特徴とする請求項７〜１３のいずれかに記載の電子機器。
【請求項１５】
（１５）前記第２の基板には、裏面側にパッチアンテナが設置されると共に、当該パッチアンテナの受信信号に基づいて所定の情報処理を実行するレーダーモジュールが設置され、前記表示画面には、当該レーダーモジュールから入力される信号に対応する表示がなされる様に構成されていること、を特徴とする請求項１４に記載の電子機器。
【請求項１６】
（１６）前記第２の基板には、ＧＰＳ信号を受信して所定の情報処理を実行するＧＰＳモジュールが設置され、前記表示画面には、当該ＧＰＳモジュールから入力される信号に対応する表示がなされる様に構成されていること、を特徴とする請求項１４又は１５に記載の電子機器。
【請求項１７】
（１７）Ｌ型プラグ付きのコネクタを介して電源を供給する構造とし、前記裏蓋には前記コネクタを横挿しで挿入するコネクタ挿入口を開口させると共に、前記第２の基板には横挿しでコネクタを嵌合させる様にレセプタクルを後方に向けて設置し、前記コネクタとして、Ｌ型プラグのＬ字面に対して平行となる方向にコネクタ部を形成したものを用いること、を特徴とする請求項１４〜１６のいずれかに記載の電子機器。
【請求項１８】
（１８）前記コネクタが、８ピンミニコネクタで構成され、前記コードの先には車両のＯＢＤコネクタに接続するＯＢＤアダプタが取り付けられていること、を特徴とする請求項１７に記載の電子機器。
【発明の詳細な説明】
【技術分野】
【０００１】
本発明は、表示画面の外側に操作部を備えた電子機器に関する。
【背景技術】
【０００２】
この種の機器においてはデザイン性の向上等を目的として、表示画面のサイドにタッチ式のダイレクト操作用ボタンを設置する提案がある（特許文献１）。
【先行技術文献】
【特許文献】
【０００３】
【特許文献１】特開２００５−２６７８９７
【発明の概要】
【発明が解決しようとする課題】
【０００４】
特許文献１は、液晶表示画面のサイドに設置するインジケータパネルの側面に配置したＬＥＤの光を斜面で反射拡散させて「ＶＯＬ」「ＣＨ」等の文字や「アップ／ダウン」等の記号の視認性を高め、これら文字や記号の表示されたインジケータパネルの表面に貼り付けたタッチパネル（感圧シート）の所定エリアを指先で操作することで機能を発揮させることを提案するものである。
【０００５】
この特許文献１の機器は、背面からの光で操作部の文字が見易いという利点があるが、構造が複雑になると共に、液晶画面のサイドに広いインジケータ領域を備える必用があり、機器の小型化にはさらなる工夫が必要である。
【０００６】
そこで、本発明は、表示画面の外側に操作部を備えた電子機器において、外観デザインを向上させつつ機器のコンパクト化を図ることを目的とする。
【課題を解決するための手段】
【０００７】
上記目的を達成するためになされた本発明の電子機器は、筐体の前面に表示画面と、当該表示画面の外側に位置する操作部とを備え、「（１）前記操作部には、その操作可能範囲の中心よりも外側寄りに透光部を形成すると共に、当該透光部の背面側から正面側に向かって光を照射する様に光源を設置したこと」を特徴とする。
【０００８】
本発明の電子機器によれば、光源からの光により透光部が照射されるから、夜間等においても操作部の位置を容易に認識することができる。この結果、操作部の視認性・操作性が向上する。そして、この透光部が操作可能範囲の中心よりも外側寄りに形成されるから、光源を筐体の前面の端に位置する様に設置することができるから、操作部の操作可能範囲の中心に透光部を形成する場合に比べて、操作部を内側寄りに設置することが容易になり、筐体を小型化することが可能になる。操作部を前面の左（右）側に備える場合は幅を小さくすることができ、前面の上（下）側に備える場合は高さを小さくすることができる。なお、操作部は、後述する様なタッチパネル方式ではなく、例えば押しボタンやドーム式操作部等の接点を有するものであっても構わない。また、例えばタッチ式のものとする場合、例えば抵抗膜式のように押圧を検知してタッチを検出するものとしてもよいし、静電容量式のように押圧ではなく接触を検知してタッチを検出するものとしてもよい。透光部を操作可能範囲の中心よりも外側にずらしたことで、例えば、操作部に設けた透光部の背面側から正面側に向かって光を照射する様に光源を設置する構成として、操作部にバックライト機能を備える構成とした場合、接点は中心部に備えさせることができ、押しボタン等であっても、視認性・操作性の向上を図りつつ装置の小型化を達成し得る構成となる。
【０００９】
上記の作用・効果を活かす様に、「（２）前記表示画面の外側の一部に回路収納部の少なくとも一部を備え、当該回路収納部の外側直近に位置する様に前記光源を設置すると共に、前記操作部は、前記操作可能範囲の内側が前記回路収納部の少なくとも一部に重なる様に設置されていること」という構成をも採用することができる。かかる構成を採用することにより、表示画面を邪魔しないで小型化を図り、かつ、操作部の視認性・操作性を向上するという作用・効果を一層的確に発揮させることができる。
【００１０】
これら本発明の電子機器は、さらに、「（３）前記透光部として、前記回路収納部の外側に沿って並ぶ様に文字又は記号を表したこと」という構成をも採用するとよい。かかる構成を採用することにより、操作部の機能を文字、記号、又は文字及び記号を用いて表現する上で、複数個の文字等を用いていてもそれによって透光部が外側に広がらないから、装置のコンパクト化を妨げることなく、多くの情報を操作部に表示して、視認性・操作性の一層の向上を図ることができる。
【００１１】
この場合、「（４）前記回路収納部の反対側の表示画面外側にも反対側光源を設置すると共に、当該反対側の表示画面外側に沿って並ぶ様に文字又は記号を表した透光部を有するダイレクト操作用の操作部を、当該透光部が前記反対側光源の正面に重なる様に設置したこと」という構成をも採用することができる。表示画面のための回路収納部は、例えば、表示画面外枠の左右一方側等に設けられるが、反対側にも操作部を設置することで、表示画面を中心にしてより多くの操作部を備えさせることができ、デザイン上もバランスがよく、また、振り分けて操作部を設置することで、例えば筐体の前面形状をコーナーＲを有するものとし、操作部を前面に備えたことによって若干の寸法増加があったとしても、コンパクトな印象を与えるものとすることができる。また、各操作部における文字や記号の並び方が統一されていることもコンパクトな印象、バランスの取れた印象を与えるものとなる。特に、「（５）前記回路収納部の反対側の表示画面外側に設置される操作部は、前記回路収納部の外側に設置される操作部と、前記表示画面の中心に対して対称となる位置に設置されていること」という構成をも採用すると、コンパクトな印象、バランスの取れた印象をより高めることができる。
【００１２】
また、「（６）前記透光部として、前記表示画面の画面中心側を下辺とする横書き表記の文字を備えていること」という構成を採用するとよい。操作部を表示画面の左右に備える場合、表示画面の左右外側に沿った縦書きも可能であるが、「ＶＯＬ」「ＭＵＴＥ」などの英語表記の場合、横書きにした方が見た目も自然で読みやすいからである。
【００１３】
ここで、本発明の電子機器は、さらに、「（７）前記表示画面が液晶表示パネルであって、当該液晶表示パネルを設置した表示基板の前面に前記光源として前記透光部の背面に位置する様にＬＥＤを設置すると共に、前記筐体を、前記表示基板を背面側から位置決め装着するフロントケースと、当該フロントケースと一体化されて筐体の側面及び上下面を構成する筒状のメインボディと、当該メインボディの後端を塞ぐ裏蓋とから構成したこと」という構成を採用するとよい。
【００１４】
かかる構成を採用することにより、筐体の側面は合わせ目のない構造となり、周囲がすっきりした印象となる。この結果、多方向スライド金型を用いることによって、後述する実施例１の様な凹面を用いたり、実施例５〜７の様な携帯電話、タイヤ、キーホルダーとお揃いの側面デザインも可能になり、この種の電子機器におけるデザインの自由度が大幅に増大する。かかるデザインの自由度増大は、（１）等の構成を採用したことによるコンパクト化と相俟って、電子機器のデザイン性を向上させる効果を発揮する。なお、フロントケースは、メインボディとは別体として、裏蓋をネジ等で固定する際に裏蓋と共にメインボディを挟み付ける様に組み立てられるもの、メインボディと一体形成されたもののいずれであっても構わない。
【００１５】
かかる筐体を採用した場合、さらに、「（８）前記フロントケースには、前記ＬＥＤを正面に向かって露出させる開口又は切り欠きが形成されていること」という構成をも採用するとよい。ＬＥＤは、フロントケースの厚さの開口又は切り欠きによって光が横方向に広がってしまわない様に指向性を与えられることとなり、操作部の透光部を的確かつ明るく照らすことができるからである。
【００１６】
また、これら筐体の特徴を有する電子機器においては、さらに、「（９）前記フロントケースは、前記メインボディの前端縁よりも所定量後方に控えた位置において当該メインボディから内側に突設する様に一体形成され、当該フロントケースの前面に前記タッチパネルが前記メインボディの内側に収まる様に設置されていること」という構成をも採用するとよい。かかる構成を採用することにより、タッチパネルを表示画面の前面に装着して表示画面上をタッチ操作することで所定の処理を実行させることができると共に、タッチパネルの取り付けがしっかりとしたものとなり、コンパクト化の目的を阻害することがないからである。この場合、「（９−１）フロントケースに備えるべき位置決め部材等は、メインボディの軸と平行に伸びる突起、縁、孔等によって形成する」という構成をも採用すれば、射出成形によって一体成形することが容易となる。
【００１７】
さらに、タッチパネルを備える電子機器においては、「（１０）前記操作部が前記タッチパネルの所定領域として構成されるタッチ式操作部であり、前記回路収納部側に設置されるタッチ式操作部は、前記所定領域の外側縁寄りに前記透光部を備え、前記所定領域の内側縁を前記回路収納部に重なる様に設置されていること」という構成をも採用するとよい。かかる構成とすることで、（１）の構成をタッチパネルを利用したタッチ式操作部によって実現することができ、視認性・操作性共に良好で、機器のコンパクト化に資するものとなる。ここで、タッチパネルの所定領域を押下すれば、ダイレクト操作用のタッチ式操作部としての機能が発揮される訳であるが、操作部の意味を示す文字や記号が外側縁よりに備わっていることから、利用者は、無意識にこれら文字や記号の付近を操作しようとし、誤って表示画面上のタッチ領域に触れることが起こり難い。従って、タッチパネルに形成したダイレクト操作用のタッチ式操作部を備える場合、本発明の構成は、操作性向上の点において特に優れた効果を発揮するものとなる。また、このタッチ操作において、利用者に、単純に正面から操作する以外に、人差し指等を筐体の側面又は背面に添えて親指で透光部を操作する様な操作を促す効果もある。この結果、機器に対して回転モーメントを起こし難いダイレクト操作が促されることとなり、両面テープ等の粘着性能を弱めたりすることがなくなるという副次的効果も期待できる。このとき、側面に合わせ目がないから、側面に人差し指等を添えたときの感触が良く、背面に人差し指等を添える場合はメインボディによるしっかりとした筐体構造が、利用者に安心してダイレクト操作を行えるというイメージを与えるものにもなる。また、側面に人差し指等を添える場合、上述した様に、側面にタイヤのトレッドパターン等の装飾を施すことで、指に触れる感触自体を楽しませることもできる。
【００１８】
これら特有の構造からなる筐体を備えた電子機器は、「（１１）前記裏蓋は、前記メインボディの後端縁の内側に嵌り込む様に装着される構成とされていること」という構成を採用することができる。かかる構成を採用する場合、側面に一切合わせ目が見えないこととなり、上述した様なメインボディ側面の装飾による立体感が高まり、すっきりした印象がより一層高まる。なお、本発明の電子機器においては、（１１）に代えて、「（１２）前記裏蓋は、その最外面が前記メインボディの後端縁と面一となる様に装着される構成とされていること」という構成を採用しても構わない。
【００１９】
また、特有の構造からなる筐体を備えた電子機器は、「（１３）前記表示基板には記憶媒体受入部材が側方から記憶媒体を挿脱可能に設置されると共に、前記メインボディの側面に、当該記憶媒体を挿脱するための長孔が形成されていること」という構成を採用するとよい。記憶媒体受入部材を備えることによってデータの追加・更新等を容易に行うことができると共に、合わせ目のないメインボディ側面の長孔から記憶媒体を挿脱するので、この操作において合わせ目に引っかかるといった問題もなく、すっきりした印象を損なうことなく記憶媒体受入部材を備えさせる効果がある。
【００２０】
さらに、この表示基板を内蔵した電子機器は、さらに、「（１４）前記メインボディと前記裏蓋の間に、スペーサを介して前記表示基板との間に所定間隔を保持する様に第２の基板が設置されていること」という構成を採用することにより、コンパクトな筐体内に、第２の基板を的確な位置に設置することができる。この背面側に第２の基板を備えた電子機器は、さらに、「（１５）前記第２の基板には、裏面側にパッチアンテナが設置されると共に、当該パッチアンテナの受信信号に基づいて所定の情報処理を実行するレーダーモジュールが設置され、前記表示画面には、当該レーダーモジュールから入力される信号に対応する表示がなされる様に構成されていること」という構成を採用し、速度違反取り締まりのためのレーダーの設置状況等を運転者に通知することができる車載機器としたり、「（１６）前記第２の基板には、ＧＰＳ信号を受信して所定の情報処理を実行するＧＰＳモジュールが設置され、前記表示画面には、当該ＧＰＳモジュールから入力される信号に対応する表示がなされる様に構成されていること」という構成を採用して、車両の現在位置を認識した種々の表示を行うことができる電子機器とすることができる。
【００２１】
また、表示基板の背面側に第２の基板を備えた電子機器は、さらに、「（１７）Ｌ型プラグ付きのコネクタを介して電源を供給する構造とし、前記裏蓋には前記コネクタを横挿しで挿入するコネクタ挿入口を開口させると共に、前記第２の基板には横挿しでコネクタを嵌合させる様にレセプタクルを後方に向けて設置し、前記コネクタとして、Ｌ型プラグのＬ字面に対して平行となる方向にコネクタ部を形成したものを用いること」という構成を採用するとよい。この場合、さらに、「（１８）前記コネクタが、８ピンミニコネクタで構成され、前記コードの先には車両のＯＢＤコネクタに接続するＯＢＤアダプタが取り付けられていること」という構成をも採用するとよい。こうした構成を採用することにより、例えば操作部を操作する際に電源コードに体が触れて結果的に電源コードを引っ張ってしまう状態となったとき、Ｌ型プラグには水平方向の引っ張り力が作用することとなり、コネクタ部分も水平方向に回動しようとするとしても、垂直方向に回動し難いことから、コネクタの端子同士の接触が離れてしまい難く、電源が瞬断して機器がリセットされてしまったり、ＯＢＤアダプタからのデータが瞬断して動作不良を起こしたりするといった問題を起こし難くするからである。
【発明の効果】
【００２２】
本発明によれば、表示画面の外側に操作部を備えた電子機器において、外観デザインを向上させつつ機器のコンパクト化を図ることができる。
【図面の簡単な説明】
【００２３】
【図１】実施例１の電子機器を示し、（Ａ）は正面側から見た斜視図、（Ｂ）は背面側からみた斜視図、（Ｃ）は正面図である。
【図２】実施例１の電子機器を示し、ＬＥＤと透光部の位置関係を示す正面図である。
【図３】実施例１の電子機器の正面側から見た分解斜視図である。
【図４】実施例１の電子機器の背面側から見た分解斜視図である。
【図５】実施例１の電子機器の右側面から見た分解側面図である。
【図６】実施例１の電子機器の電源部を示す背面側斜視図である。
【図７】実施例２の電子機器を示し、（Ａ）は正面、平面、左側面及び背面の四面図、（Ｂ）は正面側から見た分解斜視図である。
【図８】実施例２の電子機器を示し、（Ａ）は出荷時の同梱部品の説明図、（Ｂ）はブラケットを用いた取り付け方法の説明図、（Ｃ）は直付けの場合の取り付け方法の説明図である。
【図９】実施例２の電子機器を示し、（Ａ）は出荷時同梱のシガープラグコードを用いた電源の確保の仕方の説明図、（Ｂ）〜（Ｄ）はその他の電源確保の仕方の説明図である。
【図１０】実施例２の電子機器を示し、（Ａ）はダイレクト式タッチスイッチによる操作方法の説明図、（Ｂ）はタッチパネル画面による操作方法の説明図である。
【図１１】他の実施例の電子機器を示し、（Ａ）は実施例３の正面、平面、左側面及び背面の四面図、（Ｂ）は実施例４の正面、平面、左側面及び背面の四面図である。
【図１２】他の実施例の電子機器を示し、（Ａ）は実施例５の正面、平面、左側面及び背面の四面図、（Ｂ）は実施例６の正面、平面、左側面及び背面の四面図、（Ｂ）は実施例７の正面、平面、左側面及び背面の四面図である。
【発明を実施するための形態】
【００２４】
以下、本発明の実施形態として、具体的な実施例を図面に基づき詳細に説明する。
【実施例１】
【００２５】
実施例１として、速度取り締まり情報の監視・表示を行うための車載電子機器１について説明する。図１に示す様に、この車載電子機器１は、筐体１０の前面に、液晶表示パネル２０と、この液晶表示パネル２０の左右外側に位置するダイレクト操作用のタッチ式スイッチ（以下、「ダイレクトスイッチ」という）３１〜３５とを備えている。右側上のダイレクトスイッチ３１には、操作エリア３１ａの外側寄りに偏らせて上から下に向かう横書きとなる様に、音量アップを意味する記号「△」と「ＶＯＬ」の英文字が透光部３１ｂとして形成されている。同じく右側中のダイレクトスイッチ３２にも、操作エリア３２ａの外側寄りに偏らせて上から下に向かう横書きとなる様に、「ＶＯＬ」の英文字と音量ダウンを意味する記号「▽」が透光部３２ｂとして形成されている。さらにその下のダイレクトスイッチ３３には、操作エリア３３ａの外側寄りに偏らせて上から下に向かう横書きとなる様に、「ＭＵＴＥ」の英文字が透光部３３ｂとして形成されている。また、左側上のダイレクトスイッチ３４には、操作エリア３４ａの外側寄りに偏らせて下から上に向かう横書きとなる様に、「ＭＥＭＯ」の英文字が透光部３４ｂとして形成され、左側下のダイレクトスイッチ３５には、操作エリア３５ａの外側寄りに偏らせて下から上に向かう横書きとなる様に、「ＶＩＥＷ」の英文字が透光部３５ｂとして形成されている。即ち、各透光部３１ｂ〜３５ｂは、表示画面の画面中心側を下辺とする横書き表記の文字となっている。
【００２６】
図２に示す様に、これらダイレクトスイッチ３１〜３５は、図２に示す様に、液晶表示パネル２０の画面２１を画面タッチエリア３０ａとするタッチパネル３０の左右外側に形成されていて、各スイッチの透光部３１ｂ〜３５ｂの真後ろにＬＥＤ４１〜４５が設置されている。なお、左側上下のダイレクトスイッチ３４，３５の間には、ロゴ３６を表記した透光部３６ｂも形成されていて、その真後ろにもＬＥＤ４６が設置されている。
【００２７】
右側のＬＥＤ４１〜４３の設置位置についてさらに詳しく述べると、図２（Ａ）に示す様に、ＬＥＤ４１〜４３は、液晶表示パネル２０の画面２１の右側に備えられた回路収納部２２の外側直近位置に設置されている。そして、ダイレクトスイッチ３１〜３３は、それぞれの操作エリア３１ａ〜３３ａの内側が回路収納部２２に重なり、画面２１には重ならない様に形成されている。また、左側のダイレクトスイッチ３４，３５も、それぞれの操作エリア３４ａ，３５ａの内側が画面３１に重ならない様に形成されている。右側上下のダイレクトスイッチ３１，３３と、左側上下のダイレクトスイッチ３４，３５とは、画面２１の中心に対して左右対称となる様に形成されている。
【００２８】
これらＬＥＤ４１等についてさらに詳しく述べる。図３〜図５に示す様に、これらＬＥＤ４１〜４６は、液晶表示パネル２０を設置した表示基板５１の前面に設置されている。筐体１０は、表示基板５１を背面側から位置決め装着するフロントケース１１と、フロントケース１１と一体化されて筐体の側面及び上下面を構成する筒状のメインボディ１２と、メインボディ１２の後端を塞ぐ裏蓋１３とから構成されている。
【００２９】
そして、フロントケース１１は、メインボディ１２の前端縁１２ａよりも所定量後方に控えた位置においてメインボディ１２の左右側面から内側に突設する様に一体形成され、その前面にタッチパネル３０がメインボディ１２の内側に収まる様に設置される構造となっている。そして、フロントケース１１には、液晶表示パネル２０の画面２１を正面から視認可能とする中央窓６０が形成されると共に、この中央窓６０の右側縁に沿って、ＬＥＤ３１〜３３を正面に向かって露出させる切り欠き６１〜６３が形成されると共に、中央窓６０の左側には縁から所定量外側の位置にＬＥＤ４４〜４６を正面に向かって露出させる開口６４〜６６が形成されている。図４に示す様に、これら切り欠き６１〜６３及び開口６４〜６６は、後方に向かって所定長さの縁枠６１ａ〜６６ａを備えていて、これら縁枠６１ａ〜６６ａによって表示基板５１の前面位置を位置決めする様に構成されている。フロントケース１１には、この他、ネジ止め用のボス軸６８ａ〜６８ｄが背面からメインボディ１２の軸と平行に後方に向かって突設されると共に、右側中及び右側下の切り欠き６２，６３の間に照度センサ４７用の窓となる切り欠き６７も形成されている。
【００３０】
タッチパネル３０は、表示基板５１の裏面側に設置される電子回路７０と電気的に接続され、画面１１内は画面表示に重なる画面タッチエリア３０ａと、その左右の外側に区画されたダイレクトスイッチ３１〜３５用の操作エリア３１ａ〜３５ａとを備えている。電子回路７０は、操作エリア３１ａが押圧されると「音量アップ」の設定処理を行い、操作エリア３１ｂが押圧されると「音量ダウン」の設定処理を行い、操作エリア３１ｃが押圧されると「消音」の設定処理を行う。なお、この「消音」は、押圧された後、レーダー信号を検知しなくなるまでの間の消音であって、レーダー信号を検知しなくなったら、直前の音量設定状態に復帰する。また、電子回路７０は、操作エリア３４ａが押圧されると「地点の登録」等の処理を行い、操作エリア３５ａが押圧されると「待ち受け画面の切替」を行う。一方、電子回路７０は、中央の画面タッチエリア３０ａが押圧されたときは、そのときの画面表示と押圧位置との対応関係に従った設定処理等を実行する。
【００３１】
表示基板５１には、さらに、裏面側にマイクロＳＤカード用のカードスロット７１も備えられている。そして、メインボディ１２の側面に、カードスロット７１に対してマイクロＳＤカードを挿脱するための長孔１２ｃが形成されている。このカードスロット７１は、マイクロＳＤカードを用いて、電子回路７０の演算処理に必用な地図情報などを最新の情報に更新するためのものである。
【００３２】
筐体１０を構成する裏蓋１３は、メインボディ１２の後端縁１２ｂの内側に嵌り込む様に装着される構成とされていて、フロントケース１１から突設されたボス軸６８ａ〜６８ｄへとネジをねじ込むためのネジ挿通孔１３ａ〜１３ｄ、ダッシュボード上に設置するためのブラケットを嵌め込むための凹部１３ｅ、電源コネクタを挿入するための電源コネクタ用長孔１３ｆ、及びスイッチ窓１３ｇも形成されている。
【００３３】
ここで、メインボディ１２内には、フロントケース１１と裏蓋１３の間に、スペーサ７２ａ〜７２ｄを介して表示基板５１の後方に所定間隔を保持する様に第２の基板５２も設置される構成となっている。この第２の基板５２には、裏面側にパッチアンテナ７３が設置されると共に、パッチアンテナ７３の受信信号に基づいて所定の情報処理を実行するレーダーモジュール７４が設置されている。また、第２の基板５２には、ＧＰＳ信号を受信して所定の情報処理を実行するＧＰＳモジュール７５も設置されている。表示基板５１と第２の基板５２は、ＢｔｏＢコネクタによって信号を授受する構成となっていて、電子回路７０は、レーダーモジュール７４から入力される信号に基づいて速度取り締まりのためのレーダーの監視を行い、速度違反取り締まりのためのレーダーの設置状況等を運転者に通知する表示や音声を出力を実行する構成となっている。また、電子回路７０は、ＧＰＳモジュール７５から入力される信号に基づいて車両の現在位置を認識し、画面に種々の表示を行ったり、音声出力を行ったりする。
【００３４】
裏蓋１３に形成された電源コネクタ用長孔１３ｆは、ミニＵＳＢタイプのコネクタを横差しで受け入れる用に横長とされていて、この長孔１３ｆから挿入されたミニＵＳＢタイプのコネクタと嵌合するレセプタクル７７が第２の基板１２の背面側に設置されている。第２の基板１２の背面側には、さらに、裏蓋１３のスイッチ窓１３ｇから露出させるスライドスイッチ７８も設置されている。
【００３５】
電源用のミニＵＳＢタイプのコネクタは、図６に示す様に、Ｌ型プラグ８１を備えた８ピンミニＵＳＢタイプのコネクタ８０であって、Ｌ型プラグ８１のＬ字面８１ａに対して平行となる方向にコネクタ部８２を形成したものを用いる構成を採用している。この８ピンミニＵＳＢタイプのコネクタ８０は、コード８３の先に車両のＯＢＤ（On-board diagnostics）コネクタに接続するＯＢＤ２アダプタ８４を備えたものとなっている。電子回路７０は、この８ピンミニＵＳＢタイプのコネクタ８０により、車両の運転状態の情報とＤＣ電源とを入力し、例えば、トンネル内の様なＧＰＳモジュール７４による速度計測が困難な場所であっても正確な速度情報を得ることが可能となっている。
【００３６】
以上説明した実施例１の車載電子機器１によれば、ダイレクトスイッチ３１〜３５は、ＬＥＤ４１〜４５の光により透光部３１ｂ〜３５ｂが照射されるから、夜間等においてもダイレクトスイッチの位置を容易に認識することができ、視認性・操作性を向上させることができる。そして、この透光部３１ｂ〜３５ｂが各操作エリア３１ａ〜３５ａの中心よりも外側寄りに形成されるから、図２に示した様に、ＬＥＤ４１〜４５を筐体１０の前面の端に位置する様に設置することができる。この結果、ダイレクトスイッチ３１〜３３を液晶表示パネル２０の回路収納部２２と一部重なる様に内側寄りに設置して筐体１０を小型化することが可能となっている。
【００３７】
また、回路収納部２２側だけでなく、反対側の表示画面外側にもＬＥＤ４４，４５を設置すると共に、文字を横書きで表した透光部３４ｂ，３５ｂを有するダイレクトスイッチ３４，３５を設置したので、表示画面を中心にしてより多くのダイレクトスイッチを備えさせることができ、デザイン上もバランスがよく、振り分けてダイレクトスイッチを設置することで、筐体の前面形状をコーナーＲを有するものとし、ダイレクトスイッチ３１〜３５を前面に備えたことによって若干の寸法増加があったとしても、コンパクトな印象を与えるものとすることができている。また、各ダイレクトスイッチ３１〜３５における文字や記号の並び方が統一されていることもコンパクトな印象、バランスの取れた印象を与えるものとなっている。特に、左右のダイレクトスイッチが表示画面の中心に対して対称となる位置に設置されているので、コンパクトな印象、バランスの取れた印象をより高めることができている。
【００３８】
また、透光部３１ｂ〜３５ｂとして、回路収納部２２の外側に沿って並ぶ様に文字・記号を備えたので、「△ＶＯＬ」「ＶＯＬ▽」「ＭＵＴＥ」「ＭＥＭＯ」「ＶＩＥＷ」と４文字を用いていても透光部３１ｂ等が外側に広がらないから、装置のコンパクト化を妨げることなく、多くの情報をダイレクトスイッチ３１〜３５に表示して、視認性・操作性の一層の向上を図ることができている。単に外側に偏らせるだけでなく横書きとすることにより、英語表記を見た目も自然で読みやすいものとしている。
【００３９】
さらに、筐体１０を筒状のメインボディ１２の前側に表示基板５１の位置決め及びタッチパネル３０の嵌め込み用となるフロントケース１１を一体形成し、メインボディ１２の後端を裏蓋１３で塞ぐ構成としたことにより、筐体１０の側面は合わせ目のない構造となり、周囲がすっきりした凹面を備えるデザインとなっていて、コンパクト化と相俟って、車載電子機器のデザイン性を向上させる効果をも発揮している。
【００４０】
また、フロントケース１１に縁枠付きの切り欠き６１〜６３及び開口６４〜６６を形成して、ここにＬＥＤ４１〜４６を収納した状態となる様に表示基板５１を取り付ける構成を採用しているので、ＬＥＤの光が横方向に広がってしまわず前方への指向性を与えることができ、ダイレクトスイッチ３１〜３５及びロゴ３６の透光部３１ｂ〜３６ｂを的確かつ明るく照らすことができている。
【００４１】
さらに、フロントケース１１は、メインボディ１２の前端縁１２ａよりも所定量後方に控えた位置において内側に突設する様に一体形成され、前面にタッチパネル３０がメインボディ１２の内側に収まる様に設置される構成を採用したから、タッチパネル３０を表示画面の前面に装着して表示画面上をタッチ操作することで所定の処理を実行させることができると共に、タッチパネル３０の取り付けがしっかりとしたものとなり、コンパクト化の目的を阻害することがない。なお、切り欠き６１〜６３、開口６４〜６６の縁枠６１ａ〜６６ａやボス軸６８ａ〜６８ｄをメインボディ１２の軸と平行に後方に向かって突設する構成としたので、射出成形によって容易に一体成形することができる。
【００４２】
加えて、タッチパネル３０の所定領域として構成されるダイレクトスイッチ３１〜３５を備え、操作エリア３１ｂ〜３３ｂは内側縁を回路収納部２２に重なる様に設置したので、機器のコンパクト化に資すると共に、タッチパネル３０の画面タッチエリア３０ａとは明確に区別され、ダイレクトスイッチの意味を示す文字や記号が外側縁よりに備わっていることから、利用者は、無意識にこれら文字や記号の付近を押圧しようとし、誤って表示画面上のタッチ領域に触れることが起こり難い。従って、操作性向上の点において特に優れた効果を発揮するものとなる。また、このタッチ操作において、利用者に、単純に正面から押圧する以外に、人差し指等を筐体１０の側面又は背面に添えて親指で透光部を押圧する様な操作を促す効果もある。この結果、機器に対して回転モーメントを起こし難いダイレクト操作が促されることとなり、機器をダッシュボードに貼り付ける両面テープ等の粘着性能を弱めたりすることがなくなるという副次的効果も期待できる。このとき、側面に合わせ目がないから、側面に人差し指等を添えたときの感触が良く、背面に人差し指等を添える場合はメインボディ１２によるしっかりとした筐体構造が、利用者に安心してダイレクト操作を行えるというイメージを与えるものにもなっている。
【００４３】
また、裏蓋１３が、メインボディ１２の後端縁１２ｂの内側に嵌り込む様に装着される構成とされているので、側面には一切合わせ目が見えないこととなり、上述した様なメインボディ側面の装飾による立体感が高まり、すっきりした印象がより一層高まる。さらに、データの追加・更新等を行うマイクロＳＤカードの挿脱も、合わせ目のないメインボディ側面の長孔から実施できるので、マイクロＳＤカードが合わせ目に引っかかるといった問題もなく、すっきりした印象を損なうこともない。
【００４４】
さらに、図６に示した様に、Ｌ型プラグのＬ字面に対して平行となる方向にコネクタ部を形成したミニＵＳＢタイプのコネクタを横差しにして電源を供給する構成となっているので、コードが引っ張られて電源が瞬断するといった問題もなく、ＯＢＤ２アダプタからの車両の運転状態を診断するための信号が瞬断することもない。この結果、電源瞬断による機器のリセットや、データ瞬断による動作不良を起こしたりするといった問題も起こし難くなっている。
【実施例２】
【００４５】
次に、実施例２について説明する。実施例２の車載電子機器２は、図７（Ｂ）に示す様に、機器の内部の構成は実施例１と同様であるが、表示基板３１及び筐体９０のデザインを異ならせている。表示基板３１には、左上のＬＥＤ４４の内側に赤外線センサ４９が設置され、フロントケース９１には、この赤外線センサ４９の正面に位置する切り欠き９９も備えられている。メインボディ９２は、図７（Ａ）に示す様に、上下面の後縁が円弧状に前方へ入り込んだ筒状を呈し、表面は平坦面で構成されている。そして、裏蓋９３は、最外面がメインボディ９２の後端縁と面一となる様に装着される構成とされている。構成としては、メインボディ９２に一体形成された中央窓付きのフロントケース９１を備え、メインボディ９２の中に表示基板５１及び第２の基板５２をスペーサ７２ａ〜７２ｄで所定距離を保って収納し、裏蓋９３で蓋する構成なので、図７（Ａ）に示す様に、マイクロＳＤカード用のスロット開口は合わせ目なしの長孔９２ｃで構成され、すっきりした印象を与える。なお、メインボディ９２の左右前縁に金属調に塗装した縁飾り９２ｄを組み付けて、シャープな印象を高めている。
【００４６】
この実施例２の車載電子機器２は、図８（Ａ）に示す様に、本機１０１、リモコン１０２、ダッシュボード取付用ブラケット１０３、シガープラグコード１０４、リモコン用ボタン電池１０５、粘着シート１０６、粘着マット１０７、直付け用両面テープ１０８、取扱説明書１０９を同梱して提供される。上述の梱包内容を備えることで、ブラケット１０３を用いた取り付けとブラケット１０３を用いない直付けとを任意に選択することができる。
【００４７】
ブラケット１０３を用いる場合は、図８（Ｂ）に示す様に、（１）ダッシュボード上においてなるべく平らで水平に近く、ＧＰＳ電波を受信しやすい場所を取り付け面とし、ホコリや汚れがないことを確認し、（２）本機１０１の溝をブラケット１０３に合わせ取り付け、（３）保護シートを片面だけはがした粘着マット１０７をブラケット１０３に貼り付け、（４）シガープラグコード１０４のＤＣプラグを本機１０１に挿してパワーをＯＮにし、（５）粘着マット１０７の残りの保護シートをはがし、（６）ダッシュボードの取り付け面にブラケット１０３を押さえ付ける様にして貼り付け、（７）Ｇセンサーやジャイロセンサーが正しく動作するよう、本機１０１の背面が車両進行方向を向くと共に画面が見やすいように角度等を調整する。
【００４８】
直付けの場合は、図８（Ｃ）に示す様に、（１）ダッシュボード上においてなるべく平らで水平に近く、ＧＰＳ電波を受信しやすい場所を取り付け面とし、ホコリや汚れがないことを確認し、（２）直付け用両面テープ１０８の保護シートを片面だけはがして、本機１０１の底面にしっかりと貼り付け、（３）直付け用両面テープ１０３の残った保護シートを剥がして本機１０１の背面を車両進行方向に向けて、水平な路面と平行になるように取り付ける。
【００４９】
シガープラグコード１０４の接続方法は、図９（Ａ）に示す様に、車両のシガーライターソケットにシガー側を２，３回ひねりながら差し込み、プラグは本機１０１の背面に横差しに形成したＤＣジャックに対してプラグの上下を示す目印を確認しつつ上下を正しく差し込む。なお、シガープラグコード１０４の他に、図９（Ｂ）に示す様に、既存のシガープラグコードもしくは電源直結コードにＤＣプラグ１１１→ミニプラグ変換コネクタ１１２を取り付けて電源を確保してもよいし、図９（Ｃ）に示す様に、ミニプラグ付きの電源直結コード１１３を用いて社内のアクセサリー系端子から直接電源を確保したり、図９（Ｄ）に示す様に、実施例１と同じくＯＢＤ２アダプタ１１４を用いることもできる。
【００５０】
この車載電子機器２は、画面の右側上及び右側中にあるダイレクトスイッチ３１，３２にタッチすることにより、図１０（Ａ）に示す様に、音量のアップ・ダウン、マナーモードの設定・解除を行うことができる。また、オールオンモードの設定をするには、図１０（Ｂ）に示す様に、待ち受け画面をタッチすることによって「設定画面」へと切り替え、「待受」「モード」…の表示の中の「モード」にタッチして「モード画面」へと切り替え、「ノーマル」「ミニマム」…の表示の中の「オールオン」にタッチして「オールオン」を点灯させた上で「ＥＸＩＴ」をタッチすることによって設定することができる。なお、これらの操作は、リモコン１０２のカーソルボタン、決定ボタン等を操作し、赤外線センサ４９に信号をリモコン受信させて実行することもできる。
【００５１】
こうしたスイッチ操作において、特にダイレクトスイッチ１１〜１５の操作は、夜間等であってもＬＥＤによって各スイッチの透光部１１ｂ〜１５ｂが背面側から照明されているのでスイッチを間違えることがなく、また、タッチする際の目印になる透光部１１ｂ〜１５ｂが外側寄りに位置しているから、誤って待ち受け画面にタッチしてしまうといったこともない。
【実施例３】
【００５２】
実施例３の車載電子機器３は、図１１（Ａ）に示す様に、コーナーＲではなくコーナーカットの正面形状としたもので、メインボディ１３２の表面は平坦で上下面及び側面共に奥行き一定の筒状に形成され、裏蓋１３３は、最外面がメインボディ１３２の後端縁と面一となる様に装着される構成とされた筐体１３０を採用している。コーナーカットの正面形状とすることでコンパクト感を出し、側面に合わせ目の無いすっきりしたデザインとなっている。
【実施例４】
【００５３】
実施例４の車載電子機器４は、図１１（Ｂ）に示す様に、裏蓋１４３はメインボディ１４２の後端縁の内側に嵌り込む様に装着される構成とされ、側面に合わせ目のないすっきりした印象をより強くした筐体１４０となっている。また、メインボディ１４２はシルバーメタリック調の塗装を施すと共に、上下面及び側面を前から後ろに向かって緩やかに湾曲して後端側を内側にテーパーさせることで、金属プレス成形品の様なイメージを出している。また、メインボディ１３２の奥行きを実施例３よりも大きくする変わりに、裏蓋１４３を平板状の奥行きの小さい外観形状とし、コンパクト感を高めている。
【実施例５】
【００５４】
実施例５の車載電子機器５は、図１２（Ａ）に示す様に、メインボディ１５２の外面に、図に併記した携帯電話のカバーと同じ凹凸模様を施して、持ち物との一体感を出している。この車載電子機器５においても、裏蓋１５３がメインボディ１５２の後端縁の内側に嵌り込む様に装着される構成とし、側面に合わせ目のないすっきりした印象をより強くした筐体１５０となっている。
【実施例６】
【００５５】
実施例６の車載電子機器６は、図１２（Ｂ）に示す様に、メインボディ１６２の外面に、図に併記したタイヤのトレッドパターンと同じ凹凸模様を施して、車両に装着したタイヤとの一体感を出している。この車載電子機器６においても、裏蓋１６３がメインボディ１６２の後端縁の内側に嵌り込む様に装着される構成とし、側面に合わせ目のないすっきりした印象をより強くした筐体１６０となっている。
【実施例７】
【００５６】
実施例７の車載電子機器７は、図１２（Ｃ）に示す様に、メインボディ１７２の外面に、図に併記したキーホルダーケースと同じ凹凸模様を施して、キーホルダーケースとの一体感を出している。この車載電子機器７においても、裏蓋１７３がメインボディ１６２の後端縁の内側に嵌り込む様に装着される構成とし、側面に合わせ目のないすっきりした印象をより強くした筐体１７０となっている。
【００５７】
これらいずれの実施例においても、ダイレクトスイッチには画面中を文字の下側とする横書きとなる透光部を操作エリアの外縁側に偏らせて配置し、その背面側からＬＥＤで照明する構成を採用しているので、前面に文字・記号の表記されたダイレクトスイッチを備えながらも幅の増加を極力抑えることができている。また、後方からの照明により、夜間等においてダイレクトスイッチの視認性が良好であり、透光部を外側にずらしたことで画面上のタッチパネル面に誤って触れてしまうことなくダイレクトスイッチ操作を行うことができる。また、筐体を、筒状のメインボディの前端からタッチパネルの厚さに対応して控える様に一体形成したフロントケースを備え、後端側を裏蓋で塞ぐ構成としたので、組み立て容易であると共に側面の合わせ目をなくし、すっきりした印象を与えると共に、多方向スライド金型を用いた凹面や（実施例１参照）、持ち物等との一体感を与えることができ（実施例５〜７参照）、車載電子機器におけるデザインの自由度を大幅に増大させることができている。
【００５８】
以上、発明を実施するための実施例を説明したが、本発明は、これらに限定されるものではなく、その要旨を逸脱しない範囲内における種々の変更が可能である。
【００５９】
例えば、カーナビゲーション装置その他の車載電子機器はもちろん、車載に限らず、表示画面を備え、前面にダイレクト操作用のスイッチを備える種々の電子機器において本発明を適用することができる。スイッチはタッチ式に限らず、押しボタン式であっても構わない。
【産業上の利用可能性】
【００６０】
本発明は、表示画面の周囲にダイレクト操作用のスイッチを備える電子機器において利用することができる。
【符号の説明】
【００６１】
１〜７・・・車載電子機器、１０・・・筐体、１１・・・フロントケース、１２・・・メインボディ、１２ａ・・・前端縁、１２ｂ・・・後端縁、１２ｃ・・・長孔、１３・・・裏蓋、１３ａ〜１３ｄ・・・ネジ挿通孔、１３ｅ・・・凹部、１３ｆ・・・電源コネクタ用長孔、１３ｇ・・・スイッチ窓、２０・・・液晶表示パネル、２１・・・画面、２２・・・回路収納部、３０・・・タッチパネル、３０ａ・・・画面タッチエリア、３１〜３５・・・ダイレクトスイッチ、３１ａ〜３５ａ・・・操作エリア、３１ｂ〜３５ｂ・・・透光部、３６・・・ロゴ、３６ｂ・・・透光部、４１〜４６・・・ＬＥＤ、４７・・・照度センサ、４９・・・赤外線センサ、５１・・・表示基板、５２・・・第２の基板、６０・・・中央窓、６１〜６３・・・切り欠き、６４〜６６・・・開口、６１ａ〜６６ａ・・・縁枠、６７・・・切り欠き、６８ａ〜６８ｄ・・・ボス軸、７０・・・電子回路、７１・・・カードスロット、７２ａ〜７２ｄ・・・スペーサ、７３・・・パッチアンテナ、７４・・・レーダーモジュール、７５・・・ＧＰＳモジュール、７７・・・レセプタクル、７８・・・スライドスイッチ、８１・・・Ｌ型プラグ、８０・・・８ピンミニＵＳＢタイプのコネクタ、８１ａ・・・Ｌ字面、８２・・・コネクタ部、８３・・・コード、８４・・・ＯＢＤ２アダプタ、９０・・・筐体、９１・・・フロントケース、９２・・・メインボディ、９２ｃ・・・長孔、９２ｄ・・・縁飾り、９３・・・裏蓋、９９・・・切り欠き、１０１・・・本機、１０２・・・リモコン、１０３・・・ダッシュボード取付用ブラケット、１０４・・・シガープラグコード、１０５・・・リモコン用ボタン電池、１０６・・・粘着シート、１０７・・・粘着マット、１０８・・・直付け用両面テープ、１０９・・・取扱説明書、１１１・・・ミニプラグ変換コネクタ、１１２・・・ミニプラグ付きの電源直結コード、１１３・・・ＯＢＤ２アダプタ、１３０・・・筐体、１３２・・・メインボディ、１３３・・・裏蓋、１４０・・・筐体、１４２・・・メインボディ、１４３・・・裏蓋、１５０・・・筐体、１５２・・・メインボディ、１５３・・・裏蓋、１６０・・・筐体、１６２・・・メインボディ、１６３・・・裏蓋、１７０・・・筐体、１７２・・・メインボディ、１７３・・・裏蓋
【図１】
2014127396.tif 000003
【図２】
2014127396.tif 000004
【図３】
2014127396.tif 000005
【図４】
2014127396.tif 000006
【図５】
2014127396.tif 000007
【図６】
2014127396.tif 000008
【図７】
2014127396.tif 000009
【図８】
2014127396.tif 000010
【図９】
2014127396.tif 000011
【図１０】
2014127396.tif 000012
【図１１】
2014127396.tif 000013
【図１２】
2014127396.tif 000014